(57)【要約】【課題】着脱が容易で使い勝手に優れた曲尺の保持具を提供する。【解決手段】長尺部２と、短尺部３と、これら長尺部２と短尺部３との間に設けた折曲部４とを備えた曲尺１の保持具１１である。曲尺１を保持する保持具本体１２と、この保持具本体１２を被取付部たるベルト６０に取り付ける取付部本体１３とを有し、保持具本体１２は、対向して設けた一側部材１４及び他側部材１５と、これら一側部材１４と他側部材１５の間に設けられ上部が開口した挿入溝１７と、この挿入溝１７の底部に設けられ折曲部４の内側を載置する載置受け部１６とを備えるから、挿入溝１７の上方から折曲部４内側を載置受け部１６に載置し、載置した状態で曲尺１を保持することができ、ベルト６０に取付部本体１３を取り付けて携帯することができる。また、使用の際も曲尺１の端部側を把持し、上方に移動して挿入溝１７から簡便に取り外すことができる。【選択図】図１
2019136842.tif 000002
【特許請求の範囲】
【請求項１】
長尺部と、短尺部と、これら長尺部と短尺部との間に設けた折曲部とを備えた曲尺の保持具であって、前記曲尺を保持する保持具本体と、この保持具本体を被取付部に取り付ける取付部本体とを有し、前記保持具本体は、対向して設けた一側部材及び他側部材と、これら一側部材と他側部材の間に設けられ上部が開口した挿入溝と、この挿入溝の底部に設けられ前記折曲部の内側を載置する載置受け部とを備えることを特徴とする曲尺の保持具。
【請求項２】
前記一側部材の前記挿入溝側に、前記折曲部の外縁側が係合し、上方への移動を規制する外側規制部を設けたことを特徴とする請求項１記載の曲尺の保持具。
【請求項３】
前記外側規制部に前記折曲部の外縁部側が係合する方向に案内する案内部材を設けたことを特徴とする請求項２記載の曲尺の保持具。
【請求項４】
前記案内部材が、前記曲尺が吸着する永久磁石であることを特徴とする請求項３記載の曲尺の保持具。
【請求項５】
前記載置受け部は、前記折曲部の長尺部側内縁部と短尺部側内縁部が当接する長尺部側内縁受け部と短尺部側内縁受け部を有し、前記外側規制部は、前記折曲部の長尺部側外縁部と短尺部側外縁部が係合する長尺部側外縁係合部と短尺部側外縁係合部を備えることを特徴とする請求項２〜４のいずれか１項に記載の曲尺の保持具。
【請求項６】
前記載置受け部と前記外側規制部の間隔が調整可能であることを特徴とする請求項２〜５のいずれか１項に記載の曲尺の保持具。
【請求項７】
前記長尺部の端部側と前記保持具本体とを連結する連結部材を備えることを特徴とする請求項１〜６のいずれか１項に記載の曲尺の保持具。
【発明の詳細な説明】
【技術分野】
【０００１】
本発明は、曲尺を保持する曲尺の保持具に関する。
【背景技術】
【０００２】
従来、この種のものとして、腰ベルトに装着して使用される腰袋であって、その前面の適当な箇所に１箇所、または横に並列に複数の指矩挿入用角穴を設けた腰袋（例えば特許文献１）がある。
【０００３】
上記腰袋では、横に並設した挿入用角孔に、指矩（曲尺）の長尺部を挿入するものであるから、作業中に短尺部側が低くなるように傾くと、曲尺が抜け落ちる虞がある。
【０００４】
また、類似したものとして、ベルト支持部を設けた本体部に、工具の把手部を露出させてその工具を収納するようにした筒状のポケットを設けた工具ホルダー（例えば特許文献２）がある。
【０００５】
上記工具ホルダーは、把持部を有する工具用であるが、筒状のポケットに曲尺の長尺部を挿入して保持することができる。
【先行技術文献】
【特許文献】
【０００６】
【特許文献１】実用新案登録第３２１４１２２号公報
【特許文献２】特開２００５−１４１４２号公報
【発明の開示】
【発明が解決しようとする課題】
【０００７】
しかし、上記工具ホルダーを曲尺のホルダーとして用いた場合、以下の問題がある。一般的に曲尺は長尺部を持って使用するが、ホルダーから外す際、短尺部を持って抜き取るから、外した後に長尺部に持ち替える手間が掛かる。次に、吊り下げたまま膝を付くなど低い姿勢を取ると、長尺部の下端部が床に当たり易いという問題がある。さらに、長尺部に落下防止のためのロープなどの連結部材を連結すると、連結部材が邪魔になってポケットに挿入することができないため、落下防止用の連結部材を用いることができない。
【０００８】
解決しようとする課題は、着脱が容易で使い勝手に優れた曲尺の保持具を提供することを目的とする。
【課題を解決するための手段】
【０００９】
請求項１の発明は、長尺部と、短尺部と、これら長尺部と短尺部との間に設けた折曲部とを備えた曲尺の保持具であって、前記曲尺を保持する保持具本体と、この保持具本体を被取付部に取り付ける取付部本体とを有し、前記保持具本体は、対向して設けた一側部材及び他側部材と、これら一側部材と他側部材の間に設けられ上部が開口した挿入溝と、この挿入溝の底部に設けられ前記折曲部の内側を載置する載置受け部とを備えることを特徴とする。
【００１０】
請求項２の発明は、前記一側部材の前記挿入溝側に、前記折曲部の外縁側が係合し、上方への移動を規制する外側規制部を設けたことを特徴とする。
【００１１】
請求項３の発明は、前記外側規制部に前記折曲部の外縁部側が係合する方向に案内する案内部材を設けたことを特徴とする。
【００１２】
請求項４の発明は、前記案内部材が、前記曲尺が吸着する永久磁石であることを特徴とする。
【００１３】
請求項５の発明は、前記載置受け部は、前記折曲部の長尺部側内縁部と短尺部側内縁部が当接する長尺部側内縁受け部と短尺部側内縁受け部を有し、前記外側規制部は、前記折曲部の長尺部側外縁部と短尺部側外縁部が係合する長尺部側外縁係合部と短尺部側外縁係合部を備えることを特徴とする。
【００１４】
請求項６の発明は、前記載置受け部と前記外側規制部の間隔が調整可能であることを特徴とする。
【００１５】
請求項７の発明は、前記長尺部の端部側と前記保持具本体を連結する連結部材を備えることを特徴とする。
【発明の効果】
【００１６】
請求項１の構成によれば、挿入溝の上方から折曲部内側を載置受け部に載置し、載置した状態で曲尺を保持することができ、ベルトなどの披取付部に取付部本体を取り付けて携帯することができる。また、使用の際も曲尺の端部側を把持し、上方に移動して挿入溝から簡便に取り外すことができる。
【００１７】
請求項２の構成によれば、保持状態で上方への移動が規制されるため、安定した保持状態が得られる。
【００１８】
請求項３の構成によれば、案内部材により外側規制部に折曲部の外側が係合する。
【００１９】
請求項４の構成によれば、永久磁石により外側規制部に折曲部の外側が係合する。
【００２０】
請求項５の構成によれば、折曲部の上下を外側規制部と載置受け部により挟んで保持することができる。
【００２１】
請求項６の構成によれば、間隔を調整することにより、幅の異なる曲尺に使用することができる。
【００２２】
請求項７の構成によれば、挿入溝から外しても、使用中に曲尺が連結部材の長さ以上に落下することが無い。
【図面の簡単な説明】
【００２３】
【図１】本発明の実施例１を示す使用状態の斜視図である。
【図２】同上、正面図である。
【図３】同上、分解斜視図である。
【図４】同上、背面図である。
【図５】同上、位置決め部の断面図である。
【図６】同上、側面図である。
【図７】同上、要部の拡大側面図である。
【図８】同上、平面図である。
【図９】同上、底面図である。
【図１０】同上、曲尺の正面図である。
【発明を実施するための形態】
【００２４】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００２５】
本発明の実施例１を図１〜図１０を参照して説明する。曲尺１は、長尺部２と、短尺部３と、これら長尺部２と短尺部３の間に設けた折曲部４を有し、略Ｌ字形をなす。また、折曲部４の外縁側には、長尺部側外縁部５Ｌと短尺部側外縁部５Ｓとが設けられ、折曲部４の内縁側には、長尺部側内縁部６Ｌと短尺部側内縁部６Ｓとが設けられ、この例では長尺部側外縁部５Ｌと短尺部側外縁部５Ｓとが直交し、長尺部側内縁部６Ｌと短尺部側内縁部６Ｓとが直交している。尚、曲尺１には目盛り（図示せず）が設けられている。
【００２６】
前記曲尺１の保持具１１は、合成樹脂製で、前記曲尺１を保持する保持具本体１２と、この保持具本体１２に連結された取付部本体１３とを備え、この取付部本体１３がベルト６０などの被取付部に取り付けられる。
【００２７】
前記保持具本体１２は、前記取付部本体１３に連結した一側部材１４と、この一側部材１４に対向して設けられた他側部材１５とを備え、これら一側部材１４と他側部材１５は、この他側部材１５の下部側に一体に設けた載置受け部１６により間隔を置いて配置され、この載置受け部１６の上部で一側部材１４と他側部材１５との間に、上部が開口した挿入溝１７が形成される。
【００２８】
そして、後述するように、曲尺１の折曲部４を挿入溝１７の上部開口から挿入し、その曲尺１の折曲部４の内縁側が前記載置受け部１６に載置されると共に、曲尺１の一側の外面が一側部材１４に沿った状態で、保持具本体１２に曲尺１が保持される。
【００２９】
前記一側部材１４は、縦長板状をなす一側部材本体２１を備え、この一側部材本体２１の外面２１Ｇの上部に、正面視で略へ字状の外側規制部２２を設け、この外側規制部２２は上部との段差面により構成され、この段差面は下向きである。また、外側規制部２２には、左右方向中央から斜め下向きに左右の外縁係合部２３，２３がそれぞれ設けられ、これら左右の外縁係合部２３，２３は正面視で９０度の角度をなし、左右対称に設けられている。尚、この例では外側規制部２２を一側部材１４に設けたが、外側規制部２２を他側部材１５に設けてもよく、このように一側部材１４と他側部材１５の少なくともいずれか一方に外側規制部２２を設けることができる。
【００３０】
また、前記一側部材本体２１の外面２１Ｇの上部の左右方向中央には、前記外側規制部２２の下側で近接した位置に永久磁石２５が設けられ、この永久磁石２５はネオジム磁石で円柱状のものを用いており、その永久磁石２５が前記一側部材本体２１に埋め込まれて固定され、その永久磁石２５の外面２５Ｇは前記外面２１Ｇより僅かに内側で露出している。
【００３１】
また、前記一側部材本体２１の外面２１Ｇの上部の左右中央には、前記外側規制部２２の下側で近接した位置に永久磁石２５が設けられ、この永久磁石２５はネオジム磁石で円柱状のものを用いており、その永久磁石２５が前記一側部材本体２１に埋め込まれて固定され、その永久磁石２５の外面２５Ｇは前記外面２１Ｇより僅かに内側で露出している。
【００３２】
前記一側部材本体２１の下部側には、上下に並んで複数の透孔２６が穿設され、この例では、上中下の３箇所に透孔２６，２６，２６が穿設されており、これら透孔２６，２６，２６は前記一側部材１４に対する他側部材１５の高さ位置を調整するために設けられている。尚、図面は下の透孔２６により前記一側部材１４に他側部材１５を固定したものを示している。
【００３３】
また、図３及び図５に示すように、前記透孔２６の周りには、他側部材１５の位置及び向きを決めるために、位置決め凹部２７が形成されている。この位置決め凹部２７は前記外面２１Ｇを凹ませて形成され、前記透孔２６の回りのリング状部２７Ａと、このリング状部２７Ａの左右に設けた横向き直線状の横部２７Ｂ，２７Ｂとを備える。
【００３４】
図３などに示すように、前記他側部材１５は、他側部材本体３１と、前記載置受け部１６を有する連結筒状部３２とを一体に備える。その他側部材本体３１は、略縦長の長方形形状の中央平板部３３を有し、この中央平板部３３の周囲に拡大部３４を設け、この拡大部３４は前記中央平板部３３から外側に斜めに拡大する。尚、拡大部３４は中央平板部３３に対して４５度以下の角度で拡大する。また、前記載置受け部１６は、内外方向の前記連結筒状部３２の上側外面により構成され、背面視で略へ字状をなす。
【００３５】
具体的には、載置受け部１６は左右方向中央から斜め下向きに左右の内縁係合部３５，３５がそれぞれ設けられ、これら左右の内縁係合部３５，３５は９０度の角度をなし、左右対称に設けられている。そして、左右の内縁係合部３５，３５の一方が長尺部側内縁受け部であって、前記折曲部４の前記長尺部側内縁部６Ｌに係合し、左右の内縁係合部３５，３５の他方が短尺部側内縁受け部であって、前記折曲部４の前記短尺部側内縁部６Ｓに係合する。
【００３６】
前記左右の内縁係合部３５，３５の左右方向中央には水平部３６が設けられている。また、前記連結筒状部３２の上方の他側部材本体３１の中央平板部３３の内面３３Ｎは、平坦で、前記一側部材本体２１の外面２１Ｇと平行に形成されている。さらに、前記連結筒状部３２の上部中央に連続して、前記内面３３Ｎには、案内膨出部３７が形成され、この案内膨出部３７の上部には斜めの案内面３７Ａが形成され、この案内面３７Ａにより前記挿入溝１７の底部側が下方に向かって幅狭になるように形成されている。
【００３７】
前記連結筒状部３２の先端は前記一側部材本体２１の外面２１Ｇに当接する。また、前記連結筒状部３２内に位置して前記他側部材１５の内面に円筒状のボス部３８が突設され、このボス部３８の先端が前記リング状部２７Ａに係入する。また、前記ボス部３８の左右に前記横部２７Ｂ，２７Ｂに係入する横係入部３９，３９が設けられている。また、前記連結筒状部３２内には、縦リブ部４１と横リブ部４２とが設けられ、これらリブ部４１，４２の中央に前記ボス部３８が位置し、それら横リブ部４２，４２の先端に前記横係入部３９，３９が突設されている。
【００３８】
また、図４に示すように、前記一側部材本体２１に内面には、縦方向の複数の縦リブ部４５と横方向の複数の横リブ部４６とが格子状に交差して設けられると共に、周囲に周壁リブ部４７が設けられている。
【００３９】
前記取付部本体１３は、薄板状をなす縦方向の一側面材５１と他側面材５２を間隔を置いて配置し、これら一側面材５１と他側面材５２の上端を屈曲部５３により連結している。この屈曲部５３は薄板状をなし、弾性変形により屈曲可能に構成され、屈曲部５３が屈強することにより、一側面材５１と他側面材５２の間を開いたり閉じたりすることができる。前記一側面材５１の下部には、コ字状の受け溝部５４を設け、この受け溝部５４は斜め他側上向きをなし、他側面材５２の下端５２Ｔは斜め一側下向きをなす。そして、受け溝部５４の先端５４Ｓと前記屈曲部５３との間隔が、前記他側面材５２の下端５２Ｔと前記屈曲部５３の間隔より僅かに短く形成されている。
【００４０】
従って、図６の実線に示すように、他側面材５２の下端５２Ｔが受け溝部５４に嵌った状態が、取付部本体１３が閉まった状態である。ここから他側面材５２を外側に引っ張ると、他側面材５２が撓むように弾性変形して下端５２Ｔが受け溝部５４から外れ、取付部本体１３が開き、取付部本体１３内にベルト６０などの被取付部を挿入することができる。逆に下端５２Ｔを受け溝部５４に嵌めることによりベルト６０に取付部本体１３が固定される。
【００４１】
前記受け溝部５４の内面には、左右にリブ部５５，５５が設けられ、これらリブ部５５，５５により受け溝部５４の変形を防止している。また、前記一側面材５１の上下には他側に突出した膨出部５６，５６が設けられ、前記他側面材５２の中央には一側に突出した膨出部５６Ａが設けられ、それら膨出部５６，５６Ａは横長の略長方形形状をなす。尚、前記膨出部５６Ａは、前記上下の膨出部５６，５６の間に位置する。
【００４２】
従って、取付部本体１３をベルト６０に取り付けると、ベルト６０の内外面に膨出部５６，５６，５６Ａが当接することにより、ずれが防止され、安定した取付状態が得られる。
【００４３】
また、前記一側面材５１の左右縁の上側には、左右外側に突出した突出縁部５７，５７が形成され、前記他側面材５２の左右縁の上側には、左右外側に突出した突出縁部５７Ａ，５７Ａが形成されている。これら突出縁部５７，５７Ａは台形形状をなす。そして、それら突出縁部５７，５７Ａを用いて、取付部本体１３の開閉作業を容易に行うことができる。
【００４４】
前記取付部本体１３の下部の左右には、連結腕部６１，６１が設けられ、これら連結腕部６１，６１は前記受け溝部５４から下方に突設されている。そして、左右の連結腕部６１，６１の間に、前記保持具本体１２の上部１８を配置し、それら左右の連結腕部６１，６１と前記上部１８にピン６２を挿通し、このピン６２により、取付部本体１３に対して保持具本体１２が回動自在に連結される。尚、前記上部１８は前記外側規制部２２の上側の部分である。
【００４５】
図７などに示すように、前記挿入溝１７は、前記外面２１Ｇと前記内面３３Ｎの間隔が曲尺１の厚さＴの２〜３倍程度である。また、前記上部１８の平坦な外面１８Ｇと内面３３Ｎとの間隔Ｋ（図６）は前記厚さＴの１〜１．５倍程度である。さらに、前記案内膨出部３７の先端面３７Ｓと前記外面２１Ｇとの間隔Ｋｍは前記厚さの１〜１．５倍程度である。これらの範囲に設定することにより、挿入溝１７への曲尺１の挿入と取出及び挿入溝１７への位置決めを円滑に行うことができる。尚、前記間隔Ｋｍが挿入溝１７の幅である。
【００４６】
前記曲尺１は、コードなどの可撓性を有する連結部材６５により保持具１１に連結される。前記曲尺１の長尺部２の先端側には、連結部たる透孔８が穿設され、前記他側部材１５には、連結部たる透孔６６が穿設され、この透孔６６は前記拡大部３４の下部に設けられている。そして、前記連結部材６５は、その一端と他端に連結具（図示せず）を設け、前記連結具により前記一端と他端が前記透孔８と透孔６６に着脱可能に連結される。
【００４７】
次に、前記保持具１１の使用方法について説明する。使用者は、取付部本体１３をベルト６０に取付け、左右一側に保持具１１を装着する。使用者が体の左側に取付けた場合を例に説明すると、長尺部２を把持し、曲尺１を斜めにし、上から折曲部４を挿入溝１７に挿入すると、案内膨出部３７に案内されると共に、永久磁石２５に吸着されて、折曲部４の下縁が載置受け部１６に載置されると共に、折曲部４の上縁が外側規制部２２の下に係止し、曲尺１の上下を外側規制部２２と載置受け部１６との間に嵌め入れた状態で、曲尺１が保持される。このように保持して携帯した場合、取付部本体１３に対して、保持具本体１２が回動するから、体の動きを妨げることがなく、曲尺１が壁などに当たっても、引っ掛かり難くなる。
【００４８】
また、長尺部２が斜めに保持されるから、姿勢を低くしても、長尺部２の先端が床に当たり難い。さらに、曲尺１の途中を保持するから、連結部材６５が邪魔にならない。
【００４９】
そして、曲尺１を使用する際には、左手で長尺部２を把持し、折曲部４の上側を永久磁石２５から離すように斜めにすると、外側規制部２２から外れ、取出すことができ、そのまま長尺部２を把持した状態で、曲尺１を使用することができ、持ち替えの手間が掛からない。
【００５０】
また、幅が異なる曲尺１を用いる場合は、他側部材１５を取り付ける透孔２６を選択し、リング状部２７Ａと横部２７Ｂ，２７Ｂにボス部３８の先端と横係入部３９，３９を係入して位置決め状態で、ボス部３８にビス４０を挿入し、このビス４０を透孔２６に螺合することにより、他側部材１５を一側部材１４に固定する。これにより、外側規制部２２と載置受け部１６の間隔を曲尺１の幅に合わせることができる。
【００５１】
このように本実施例では、請求項１に対応して、長尺部２と、短尺部３と、これら長尺部２と短尺部３との間に設けた折曲部４とを備えた曲尺１の保持具１１であって、曲尺１を保持する保持具本体１２と、この保持具本体１２を被取付部たるベルト６０に取り付ける取付部本体１３とを有し、保持具本体１２は、対向して設けた一側部材１４及び他側部材１５と、これら一側部材１４と他側部材１５の間に設けられ上部が開口した挿入溝１７と、この挿入溝１７の底部に設けられ折曲部４の内側を載置する載置受け部１６とを備えるから、挿入溝１７の上方から折曲部４内側を載置受け部１６に載置し、載置した状態で曲尺１を保持することができ、ベルト６０などの披取付部に取付部本体１３を取り付けて携帯することができる。また、使用の際も曲尺１の端部側を把持し、上方に移動して挿入溝１７から簡便に取り外すことができる。
【００５２】
このように本実施例では、請求項２に対応して、一側部材１４の挿入溝１７側に、折曲部４の外縁部５Ｌ，５Ｓ側が係合し、上方への移動を規制する外側規制部２２を設けたから、保持状態で上方への移動が規制されるため、安定した保持状態が得られる。
【００５３】
このように本実施例では、請求項３に対応して、外側規制部２２に折曲部４の外縁部５Ｌ，５Ｓ側が係合する方向に案内する案内部材たる永久磁石２５を設けたから、案内部材により外側規制部２２に折曲部４の外側が係合する。
【００５４】
このように本実施例では、請求項４に対応して、案内部材が、曲尺１が吸着する永久磁石２５であるから、永久磁石２５により外側規制部２２に折曲部４の外側が係合する。
【００５５】
このように本実施例では、請求項５に対応して、載置受け部１６は、折曲部４の長尺部側内縁部６Ｌと短尺部側内縁部６Ｓが当接する長尺部側内縁受け部たる内縁係合部３５と短尺部側内縁受け部たる内縁係合部３５を有し、外側規制部２２は、折曲部４の長尺部側外縁部５Ｌと短尺部側外縁部５Ｓが係合する長尺部側外縁係合部たる外縁係合部２３と短尺部側外縁係合部たる外縁係合部２３を備えるから、折曲部４の上下を外側規制部２２と載置受け部１６により挟んで保持することができる。
【００５６】
このように本実施例では、請求項６に対応して、載置受け部１６と外側規制部２２の間隔が調整可能であるから、幅の異なる曲尺１に使用することができる。
【００５７】
このように本実施例では、請求項７に対応して、長尺部２の端部側と保持具本体１２とを連結する連結部材６５を備えるから、挿入溝１７から外しても、使用中に曲尺１が連結部材６５の長さ以上に落下することが無い。
【００５８】
以下、実施例上の効果として、上下の外側規制部２２と載置受け部１６との間に曲尺１を嵌入し、それら外側規制部２２と載置受け部１６との間に曲尺１を嵌合するから、曲尺１を確実に保持することができる。また、左右の外縁係合部２３，２３は正面視で略９０度の角度をなし、左右対称に設けられ、また、左右の内縁係合部３５，３５は略９０度の角度をなし、左右対称に設けられているから、使用者が体の左右何れに携帯しても、曲尺１を同様に保持することができる。また、一側部材１４には、一側位置決め部たる位置決め凹部２７を設け、他側部材１５には、他側位置決め部たるボス部３８の先端と横係入部３９，３９を設けたから、一側位置決め部と他側位置決め部が係合することにより、一側部材１４に他側部材１５を位置決め状態で固定することができる。
【００５９】
また、他側部材１５には、中央平板部３３の周囲に拡大部３４を設け、この拡大部３４は前記中央平板部３３から外側に斜めに拡大するから、拡大部３４の上部側により曲尺１を挿入溝１７にスムーズに案内することができる。さらに、他側部材本体３１の内面３３Ｎに案内膨出部３７を形成し、この案内膨出部３７の上部には斜めの案内面３７Ａが形成されているから、曲尺１を保持位置に案内することができる。
【００６０】
取付部本体１３には、突出縁部５７，５７Ａを設けたから、取付部本体１３の開閉作業を容易に行うことができる。また、取付部本体１３に対して保持具本体１２が回動自在に連結したから、保持した曲尺１が体の動きを妨げることがなく、曲尺１が壁などに当たっても、引っ掛かり難くなる。
【００６１】
尚、本発明は、本実施例に限定されるものではなく、本発明の要旨の範囲内で種々の変形実施が可能である。例えば、実施例では、載置受け部を略へ字状に形成したが、半円形でもよく、長尺部側内縁受け部及び短尺部側内縁受け部が載置され保持可能であれば、形状は適宜選定可能である。また、外縁係合部も実施例で示した略へ字状以外でも、長尺部側外縁係合部に係合する突起と短尺部側外縁係合部と突起など、長尺部側外縁係合部と短尺部側外縁係合部の上方への移動が規制されるものであれば、形状は適宜選定可能である。また、前記外側規制部に前記折曲部の外縁部側が係合する方向に案内する案内部材は、他側部材本体の内面に曲尺を一側部材本体側に付勢する付勢手段により構成してもよい。さらに、実施例では、取付部本体１３に連結した一側部材１４に、外側規制部２２を設けたが、外側規制部２２を他側部材１５に設けてもよく、この場合は、外側規制部２２を設けた他側部材１５が請求項に記載の一側部材になると共に、一側部材１４が請求項に記載の他側部材になり、この場合、その外側規制部２２を設けた他側部材１５に、永久磁石２５を設けることが好ましい。
【符号の説明】
【００６２】
１  曲尺
２  長尺部
３  短尺部
４  折曲部
５Ｌ  長尺部側外縁部
５Ｓ  短尺部側外縁部
６Ｌ  長尺部側内縁部
６Ｓ  短尺部側内縁部
１１  保持具
１２  保持具本体
１３  取付部本体
１４  一側部材
１５  他側部材
１６  載置受け部
１７  挿入溝
２３  外縁係合部（長尺部側外縁係合部，短尺部側外縁係合部）
２２  外側規制部
２５  永久磁石（案内部材）
３５  内縁係合部（長尺部側内縁受け部，短尺部側内縁受け部）
６０  ベルト（被取付部）
６５  連結部材
【図１】
2019136842.tif 000003
【図２】
2019136842.tif 000004
【図３】
2019136842.tif 000005
【図４】
2019136842.tif 000006
【図５】
2019136842.tif 000007
【図６】
2019136842.tif 000008
【図７】
2019136842.tif 000009
【図８】
2019136842.tif 000010
【図９】
2019136842.tif 000011
【図１０】
2019136842.tif 000012